(57)【要約】【課題】番組の内容に応じ、かつ番組の進行と連動して表示されるような表示用画面を自動的に制作すること。【解決手段】本発明の表示用情報制作装置によれば、用語とこの用語に関する詳細情報とが予め格納されたキーワード情報記憶部２４と、番組用原稿情報に含まれる用語の中から、キーワード情報記憶部２４に格納されている用語をキーワードとして抽出するキーワード抽出処理部１６と、キーワード抽出処理部１６によって抽出されたキーワードに該当する用語が、番組用原稿情報に対応する番組において読まれる時間帯を、番組用原稿情報に基づいて把握する進行情報処理部２２と、進行情報処理部２２によって把握された時間帯に読まれるキーワードに該当する用語とこの用語に関する詳細情報とを番組と共に画面から表示させるための表示用情報を作成する表示用情報作成部２３とを備えた。【選択図】    図１
2004349942.tif 000002
【特許請求の範囲】
【請求項１】
用語とこの用語に関する詳細情報とが予め格納されたデータベースと、
番組用原稿情報に含まれる用語の中から、前記データベースに格納されている用語をキーワードとして抽出するキーワード抽出手段と、
前記キーワード抽出手段によって抽出されたキーワードに該当する用語が、前記番組用原稿情報に対応する番組において読まれる時間帯を、前記番組用原稿情報に基づいて把握する時間帯把握手段と、
前記時間帯把握手段によって把握された時間帯に読まれる前記キーワードに該当する用語とこの用語に関する詳細情報とを前記番組と共に画面から表示させるための表示用情報を制作する制作手段と
を備えた表示用情報制作装置。
【請求項２】
用語とこの用語に関する詳細情報とが予め格納されたデータベースと、
番組において発せられる音声を文字データに変換する音声変換手段と、
前記音声変換手段によって変換された文字データに含まれる用語の中から、前記データベースに格納されている用語をキーワードとして抽出するキーワード抽出手段と、
前記キーワード抽出手段によって抽出されたキーワードに該当する用語とこの用語に関する詳細情報とを前記番組と共に画面から表示させるための表示用情報を制作する制作手段と
を備えた表示用情報制作装置。
【請求項３】
用語とこの用語に関する詳細情報とが予め格納されたデータベースと、
番組用原稿情報に含まれる用語の中から、前記データベースに格納されている用語をキーワードとして抽出するキーワード抽出手段と、
前記キーワード抽出手段によって抽出されたキーワードに該当する用語が、前記番組用原稿情報に対応する番組において読まれる時間帯を、前記番組の進行情報に基づいて把握する時間帯把握手段と、
前記時間帯把握手段によって把握された時間帯に読まれる前記キーワードに該当する用語とこの用語に関する詳細情報とを前記番組と共に画面から表示させるための表示用情報を制作する制作手段と
を備えた表示用情報制作装置。
【請求項４】
用語とこの用語に関する詳細情報とが予め格納されたデータベースと、
番組と共に画面からその詳細情報を表示したい用語の入力を受け付ける用語入力受付手段と、
前記用語入力受付手段から入力された用語を、前記データベースから抽出する用語抽出手段と、
前記用語抽出手段によって抽出された用語とこの用語に関する詳細情報とを前記番組と共に画面から表示させるための表示用情報を制作する制作手段と
を備えた表示用情報制作装置。
【請求項５】
請求項１乃至４のうち何れか１項に記載の表示用情報制作装置において、
前記制作手段によって制作された表示用情報を各受信器へ向けて配信する配信手段を備えた表示用情報制作装置。
【請求項６】
番組用原稿情報と、この番組用原稿情報に対応する番組の進行情報とを番組制作側から取得し、
前記取得された番組用原稿情報に含まれる用語のうち、用語とこの用語に関する詳細情報とが予め格納されたデータベースに格納されている用語をキーワードとして抽出し、
前記抽出されたキーワードに該当する用語が、前記番組において読まれる時間帯を、前記進行情報に基づいて把握し、
前記把握された時間帯に読まれる前記キーワードに該当する用語とこの用語に関する詳細情報とを前記番組と共に画面から表示させるための表示用情報を制作し、
前記制作された表示用情報を放送局から各受信器へ向けて配信させ、前記配信された各受信器から前記番組とともに表示させるようにした表示用情報配信方法。
【発明の詳細な説明】
【０００１】
【発明の属する技術分野】
本発明は、表示用情報制作装置および表示用情報配信方法に係り、更に詳しくは、デジタル放送の番組の内容に応じた付加情報を、番組の進行に連動させて表示させるための表示用情報を制作する装置、および制作した表示用情報を配信する方法に関する。
【０００２】
【従来の技術】
デジタル放送は、番組の主情報であるコンテンツ情報のみならず、コンテンツ情報に関連する情報、コマーシャル情報などからなる膨大な付加情報を含めて配信することができることが知られている。
【０００３】
これら付加情報は、映像や音声主体の番組情報のみならず、静止画や文字情報等を使って、番組の進行にとらわれない形で、キーワードなどに関する詳細な情報を提供することもできる。
【０００４】
この種の付加情報がコンテンツ情報とともに配信されると、テレビ画面の一部に文字等によって表示されることによって、視聴者は、放送番組を視聴しながら、これら付加情報の内容を視聴することもできる。
【０００５】
このような技術に関連する先行文献としては、例えば、下記特許文献１がある。特許文献１では、デジタル放送に含まれて配信された付加情報を、ユーザ操作にしたがって電子ペーパ、ＰＤＡ、パソコンといった携帯端末の画面上から自在に表示できるようにすることによって、デジタル放送の大容量情報配信能力を十分に活用するとともに、付加情報を効率的に利用する技術が記載されている。
【０００６】
【特許文献１】
特願２００３−０４３０５３
【０００７】
【発明が解決しようとする課題】
この種の付加情報を番組とともに表示するためには、個々の番組毎に、表示用画面を制作しなければならない。しかしながら、これは、時間とともに進行する番組で放映される映像や音声と連動させる必要があるために容易なことではない。したがって、この表示用画面の制作には、多大な手間とコストとを要してしまう。
【０００８】
また、このような表示用画面は、番組変更、緊急速報、臨時ニュース等といった予期せぬ事態に対する融通性が低く、折角制作した表示用画面を利用することができない場合もある。
【０００９】
本発明はこのような事情に鑑みてなされたものであり、番組の内容に応じ、かつ番組の進行と連動して表示されるような表示用画面情報を自動的に制作することが可能な表示用情報制作装置、および制作された表示用画面情報を配信することが可能な表示用情報配信方法を提供することを目的とする。
【００１０】
【課題を解決するための手段】
上記の目的を達成するために、本発明では、以下のような手段を講じる。
【００１１】
すなわち、請求項１の発明の表示用情報制作装置は、用語とこの用語に関する詳細情報とが予め格納されたデータベースと、番組用原稿情報に含まれる用語の中から、データベースに格納されている用語をキーワードとして抽出するキーワード抽出手段と、キーワード抽出手段によって抽出されたキーワードに該当する用語が、番組用原稿情報に対応する番組において読まれる時間帯を、番組用原稿情報に基づいて把握する時間帯把握手段と、時間帯把握手段によって把握された時間帯に読まれるキーワードに該当する用語とこの用語に関する詳細情報とを番組と共に画面から表示させるための表示用情報を制作する制作手段とを備えている。
【００１２】
従って、請求項１の発明の表示用情報制作装置においては、以上のような手段を講じることにより、番組用原稿情報からキーワードを抽出し、番組の進行に連動させてキーワードおよびその詳細情報を表示することができる。
【００１３】
請求項２の発明の表示用情報制作装置は、用語とこの用語に関する詳細情報とが予め格納されたデータベースと、番組において発せられる音声を文字データに変換する音声変換手段と、音声変換手段によって変換された文字データに含まれる用語の中から、データベースに格納されている用語をキーワードとして抽出するキーワード抽出手段と、キーワード抽出手段によって抽出されたキーワードに該当する用語とこの用語に関する詳細情報とを番組と共に画面から表示させるための表示用情報を制作する制作手段とを備えている。
【００１４】
従って、請求項２の発明の表示用情報制作装置においては、以上のような手段を講じることにより、番組において話される音声に基づいてキーワードを抽出し、抽出したキーワードおよびその詳細情報を番組の進行に連動させて表示することができる。
【００１５】
請求項３の発明の表示用情報制作装置は、用語とこの用語に関する詳細情報とが予め格納されたデータベースと、番組用原稿情報に含まれる用語の中から、データベースに格納されている用語をキーワードとして抽出するキーワード抽出手段と、キーワード抽出手段によって抽出されたキーワードに該当する用語が、番組用原稿情報に対応する番組において読まれる時間帯を、番組の進行情報に基づいて把握する時間帯把握手段と、時間帯把握手段によって把握された時間帯に読まれるキーワードに該当する用語とこの用語に関する詳細情報とを番組と共に画面から表示させるための表示用情報を制作する制作手段とを備えている。
【００１６】
従って、請求項３の発明の表示用情報制作装置においては、以上のような手段を講じることにより、番組用原稿情報からキーワードを抽出し、進行情報に従うことにより番組の進行に連動させて、キーワードおよびその詳細情報を表示することができる。
【００１７】
請求項４の発明の表示用情報制作装置は、用語とこの用語に関する詳細情報とが予め格納されたデータベースと、番組と共に画面からその詳細情報を表示したい用語の入力を受け付ける用語入力受付手段と、用語入力受付手段から入力された用語を、データベースから抽出する用語抽出手段と、用語抽出手段によって抽出された用語とこの用語に関する詳細情報とを番組と共に画面から表示させるための表示用情報を制作する制作手段とを備えている。
【００１８】
従って、請求項４の発明の表示用情報制作装置においては、以上のような手段を講じることにより、任意のタイミングで用語の入力を受け付け、この用語およびこの用語の詳細情報を番組の進行に連動させて表示することができる。
【００１９】
請求項５の発明は、請求項１乃至４のうち何れか１項に記載の表示用情報制作装置において、制作手段によって制作された表示用情報を各受信器へ向けて配信する配信手段を備えている。
【００２０】
従って、請求項５の発明の表示用情報制作装置においては、以上のような手段を講じることにより、制作手段によって制作された表示用情報を各受信器へ向けて配信することができる。
【００２１】
請求項６の発明の表示用情報配信方法は、番組用原稿情報と、この番組用原稿情報に対応する番組の進行情報とを番組制作側から取得し、取得された番組用原稿情報に含まれる用語のうち、用語とこの用語に関する詳細情報とが予め格納されたデータベースに格納されている用語をキーワードとして抽出し、抽出されたキーワードに該当する用語が、番組において読まれる時間帯を、進行情報に基づいて把握し、把握された時間帯に読まれるキーワードに該当する用語とこの用語に関する詳細情報とを番組と共に画面から表示させるための表示用情報を制作し、制作された表示用情報を放送局から各受信器へ向けて配信させ、配信された各受信器から番組とともに表示させるようにしている。
【００２２】
従って、請求項６の発明の表示用情報配信方法においては、以上のような手段を講じることにより、番組制作側から番組用原稿情報と進行情報とを取得し、取得した番組用原稿情報に基づくキーワードと、その詳細情報とを番組の進行に連動させて視聴者側に備えられた各受信器から表示させることができる。
【００２３】
【発明の実施の形態】
以下に、本発明の各実施の形態について図面を参照しながら説明する。
【００２４】
（第１の実施の形態）
本発明の第１の実施の形態を図１から図７を用いて説明する。
【００２５】
図１は、第１の実施の形態に係る表示用情報配信方法を適用した表示用情報制作装置の構成例を示す機能ブロック図である。
【００２６】
すなわち、本実施の形態に係る表示用情報配信方法を適用した表示用情報制作装置１０は、図１に示すように、通信部１３と、制御部１４と、キーワード抽出処理部１６と、画面制作処理部２０と、進行情報処理部２２と、表示用情報作成部２３と、キーワード情報記憶部２４と、画面テンプレート記憶部２６と、作成情報記憶部２８とを備えている。
【００２７】
また、図２は、図１に示す構成の表示用情報制作装置に接続されたシステムを含めたネットワーク構成図である。
【００２８】
図２に示すように、表示用情報制作装置１０は、番組制作者側に備えられた番組制作システム３０、および放送局３２と、インターネット等の通信ネットワーク３４を介して互いにデータ授受可能な状態に接続している。
【００２９】
表示用情報制作装置１０における通信部１３は、通信ネットワーク３４を介して番組制作システム３０と表示用情報制作装置１０との、および放送局３２と表示用情報制作装置１０とのデータ送受信を行う部位である。具体的には、番組制作システム３０から通信ネットワーク３４を介して送信された番組用原稿情報およびその進行情報を受信し、番組用原稿情報および進行情報を制御部１４へとそれぞれ出力する。このようにして制御部１４へと出力された番組用原稿情報と進行情報は、制御部１４からキーワード抽出処理部１６および進行情報処理部２２へとそれぞれ出力されるようにしている。また、制御部１４から出力された表示用情報を取得し、取得した表示用情報を通信ネットワーク３４を介して放送局３２へ送信する。
【００３０】
なお、図２に示すようなネットワーク構成に限定されることはない。例えば、インターネットを通信ネットワーク３４として説明しているが、インターネットに特定することはなく専用回線のような他のネットワークも使用することができる。また、表示用情報制作装置１０、番組制作システム３０、放送局１２は同一の施設内に配置されていてもよいものとする。
【００３１】
番組用原稿情報とは、ニュース番組や報道番組等の原稿が書き込まれたデータのことである。また、進行情報とは、番組用原稿情報に書き込まれた原稿の各部分が、番組におけるどの時点、あるいはどの時刻において読まれるかが指定されたデータのことである。
【００３２】
表示用情報とは、後述するように、キーワード抽出処理部１６によって抽出された用語とこの用語に関する詳細情報とを、対応する番組の進行にあわせてテレビ画面から表示させるためのデータのことである。
【００３３】
制御部１４は、表示用情報制作装置１０の全体制御を司る部位であって、通信部１３、キーワード抽出処理部１６、画面制作処理部２０、進行情報処理部２２、および作成情報記憶部２８からデータが出力されると、このデータを取得し、さらにこのデータを内容に応じて所定の部位へと出力する。
【００３４】
キーワード抽出処理部１６は、制御部１４から出力された番組用原稿情報を受信する。そして、制御部１４から出力された番組用原稿情報を取得すると、番組用原稿情報に含まれる用語の中から、キーワード情報記憶部２４に格納されている用語をキーワードとして抽出する。また、キーワードとして抽出される用語は、番組用原稿情報で指示されている場合もある。
【００３５】
キーワード情報記憶部２４には、人名辞典データ、百科事典データ、英和辞典データ、和英辞典データ、政治経済用語データ、スポーツ用語データ、金融用語データ、産業用語データ、会社データ等の様々なジャンルの用語、およびその詳細情報を予め格納している。キーワード情報記憶部２４には、その他の用語データの追加や更新を可能としているので、新たな用語データの追加や、既に格納さている用語データの内容を更新することも可能である。
【００３６】
なお、各用語には、各用語固有のコード番号が予め付されており、このコード番号に関連付けて用語およびその詳細情報を紐付けて格納している。詳細情報は、文字による情報のみならず、静止画による情報、動画による情報、音声による情報等コンピュータによる読み取り可能な情報であればその形態を問わない。
【００３７】
したがって、キーワード抽出処理部１６は、番組用原稿情報に含まれる用語を取得すると、この取得した用語をキーワード情報記憶部２４に格納されているデータの中から検索する。そして、検索にヒットした用語をキーワードとし、その用語のコード番号を取得する。
【００３８】
キーワード抽出処理部１６はこのようにしてキーワードとなる用語のコード番号を取得すると、取得したコード番号を制御部１４へと通知する。制御部１４は、キーワード抽出処理部１６からコード番号が通知されると、このコード番号を画面制作処理部２０および進行情報処理部２２へと通知する。
【００３９】
画面制作処理部２０は、制御部１４からコード番号が通知されると、このコード番号に対応する詳細情報をキーワード情報記憶部２４から取得する。更に、この詳細情報を、番組の進行に応じてテレビ画面に表示するための画面テンプレートを画面テンプレート記憶部２６に記憶されている画面テンプレートの中から選択する。
【００４０】
画面テンプレート記憶部２６には、キーワードおよびその詳細情報をテレビ画面から表示するための画面テンプレートを複数種類予め格納している。図３はその一例を示す模式図であって、キーワードのみを表示する場合は図３（ａ）に示すような画面であり、詳細情報を表示する場合は図３（ｂ）に示すような画面であることを示している。
【００４１】
すなわち、図３に示すようなテンプレートは、キーワードのみを表示する場合には、図３（ａ）に示すように、番組が表示される主画面３７とキーワード（キーワードＡ〜Ｄ）が表示される子画面３８とにテレビ画面３５を分割し、図３（ａ）に示すテレビ画面３５において子画面３８に表示されたキーワード（キーワードＡ〜Ｄ）の中から特定のキーワードがテレビに付属のリモコン機能等によって選択された場合には、図３（ｂ）に示すように、番組が表示される主画面３７と、選択されたキーワードが表示される子画面３８と、このキーワードに対する詳細情報が表示される詳細情報画面４０とにテレビ画面３５を分割するものである。
【００４２】
詳細情報の全ての情報を詳細情報画面４０に表示しきれない場合には、ページ表示したり、リンク機能を付して別のページに情報を読み出すこともできるようにしている。
【００４３】
画面制作処理部２０は、取得した詳細情報と、選択した画面テンプレートとを制御部１４に出力する。制御部１４は、画面制作処理部２０から出力された詳細情報および画面テンプレートを表示用情報作成部２３へと出力する。
【００４４】
進行情報処理部２２は、制御部１４から番組用原稿情報、進行情報、キーワードとなる用語のコード番号が出力されるようにしている。そして、番組用原稿情報および進行情報に基づいて、各キーワードに該当する用語が、番組用原稿情報に対応する番組において読まれる時間帯を把握する。例えば、図４に示すように、「埼玉県越谷市の中川でアゴヒゲアザラシが目撃された。」から始まる原稿の一行が１０秒で読まれる番組において、第１行目において「埼玉県」（０１３２）、「越谷市」（４９１４）、「中川」（５０８４）、「アゴヒゲアザラシ」（０００１）がそれぞれキーワードとして抽出されている場合、発音数は、「さいたまけんこしがやしのなかがわであごひげあざらしがもくげきされた」の３３音数なので、「さいたまけん」は番組開始時に、「こしがやし」は番組開始から約２秒後に、「なかがわ」は番組開始から約３秒後に、「あごひげあざらし」は番組開始から約５秒後に読まれることを把握する。なお、括弧内の数字は、コード番号である。そして、図５に示すような進行情報処理テーブルを作成し、進行情報処理テーブル情報を制御部１４へと出力する。制御部１４は、この進行情報処理テーブル情報を表示用情報作成部２３へと出力する。
【００４５】
表示用情報作成部２３は、画面テンプレートにキーワードおよび詳細情報を割り付けることによって表示用画面を作成する。そして、進行情報処理テーブルに書き込まれた放送時間に基づいて表示されるように各表示用画面を束ねた表示用情報を作成する。そして、この表示用情報を制御部１４に出力するとともに、作成情報記憶部２８に記憶させる。作成情報記憶部２８に記憶された表示用情報は、必要に応じて制御部１４によって取得され、通信部１３から通信ネットワーク３４を介して放送局３２へと送信されるようにしている。
【００４６】
制御部１４は、表示用情報作成部２３から表示用情報が出力されると、通信部１３から通信ネットワーク３４を介して放送局３２へと送信させる。
【００４７】
放送局３２には、このようにして表示用情報制作装置１０から表示用情報が送信されるほかに、番組制作システム３０から番組情報が送信される。放送局３２は、番組情報と表示用情報とを多重化した番組信号を作成し、一般家庭のテレビ等である各受信器３６へ向けて送出する。
【００４８】
各受信器３６はこの番組信号を受信し、図３（ａ）に示すように、主画面３７から番組を、子画面３８からキーワードをそれぞれ表示する。子画面３８から表示されるキーワードは、進行情報処理テーブルに従って番組の放送開始からの経過にともなって表示されるようにしている。なお、キーワードは、子画面３８から１つづつ表示されるようにしても良いが、図３（ａ）に示すように、予め定めた所定数のキーワードが表示されるようにしても良い。図３（ａ）に示す子画面３８は、４つのキーワード（キーワードＡ〜Ｄ）までを同時表示することが可能な場合の例を示しており、キーワードＡが最新に表示されたキーワードであり、キーワードＢがキーワードＡの１つ前に表示されたキーワードであり、キーワードＣがキーワードＢの１つ前に表示されたキーワードであり、キーワードＤがキーワードＣの１つ前に表示されたキーワードである。
【００４９】
視聴者が、子画面３８に表示されたキーワード（キーワードＡ〜Ｄ）の中から特定のキーワードを、テレビ等の受信器３６に付属のリモコン機能等によって選択することによって、図３（ｂ）に示すように、主画面３７から番組が表示されるとともに、選択されたキーワードが子画面３８から表示され、このキーワードに関する詳細情報が詳細情報画面４０から表示されるようにしている。
【００５０】
これによって、各受信器３６からは、番組の進行に連携してタイムリーにキーワードが更新されながら表示され、更に視聴者が要求した場合には、表示されたキーワードに関する詳細情報が表示されるようにしている。
【００５１】
次に、以上のように構成した本実施の形態に係る表示用情報配信方法を適用した表示用情報制作装置の動作を図６および図７に示すデータ遷移図を用いて説明する。
【００５２】
まず、番組制作システム３０によって番組が制作される（Ｓ１）と、この番組情報が放送局３２に送信される（Ｓ２）とともに、この番組の番組用原稿情報および進行情報が表示用情報制作装置１０へと送信される（Ｓ３）。
【００５３】
ステップＳ３において表示用情報制作装置１０へと送信された番組用原稿情報および進行情報は、通信部１３によって受信され、制御部１４へ出力される。そして、番組用原稿情報および進行情報は、制御部１４からキーワード抽出処理部１６および進行情報処理部２２へとそれぞれ出力される。
【００５４】
制御部１４からキーワード抽出処理部１６へと番組用原稿情報が出力されると、キーワード抽出処理部１６によって、番組用原稿情報に含まれる用語の中から、キーワード情報記憶部２４に格納されている用語がキーワードとして抽出される（Ｓ４）。
【００５５】
キーワード情報記憶部２４には、人名辞典データ、百科事典データ、英和辞典データ、和英辞典データ、政治経済用語データ、スポーツ用語データ、金融用語データ、産業用語データ、会社データ等の様々なジャンルの用語、およびその詳細情報が予め格納されている。そして、番組用原稿情報に含まれる用語が格納されている場合には、この用語がキーワードとして抽出される。
【００５６】
更に、キーワード抽出処理部１６によって、抽出された用語のコード番号が取得され制御部１４へと通知される（Ｓ５）。このコード番号は、制御部１４によって更に画面制作処理部２０および進行情報処理部２２へと通知される。
【００５７】
画面制作処理部２０では、制御部１４からコード番号が通知されると、このコード番号に対応する詳細情報がキーワード情報記憶部２４から取得される（Ｓ６）。更に、この詳細情報を、番組の進行に応じてテレビ画面に表示するための画面テンプレートが、画面テンプレート記憶部２６に記憶されている画面テンプレートの中から選択される（Ｓ７）。ステップＳ６において取得された詳細情報と、ステップＳ７において選択された画面テンプレートとは、画面制作処理部２０から制御部１４へと出力され、更に制御部１４から表示用情報作成部２３へと出力される。
【００５８】
次に、進行情報処理部２２によって、番組用原稿情報および進行情報に基づいて、各キーワードに該当する用語が番組において読まれる時間帯が、番組用原稿情報に基づいて把握され、図５に示すような進行情報処理テーブルが作成される（Ｓ８）。この進行情報処理テーブルの情報は、進行情報処理部２２から制御部１４へと出力され、更に制御部１４から表示用情報作成部２３へと出力される。
【００５９】
表示用情報作成部２３では、画面テンプレートにキーワードおよび詳細情報が割り付けられることによって表示用画面が作成される。更に、進行情報処理テーブルに書き込まれた放送時間に基づいて表示されるように各表示用画面が束ねられ、表示用情報が作成される（Ｓ９）。
【００６０】
この表示用情報は、表示用情報作成部２３から制御部１４へと出力されるとともに、作成情報記憶部２８に書き込まれ記憶される。作成情報記憶部２８に記憶された表示用情報は、必要に応じて制御部１４によって取得され、通信部１３から通信ネットワーク３４を介して放送局３２へと送信される（Ｓ１０）。
【００６１】
放送局３２では、このようにして表示用情報制作装置１０から表示用情報が送信されると、この表示用情報と、ステップＳ２で番組制作システム３０から送信された番組情報とが多重化されることによって番組信号が作成される（Ｓ１１）。
【００６２】
ステップＳ１１で作成された番組信号は、放送局３２から一般家庭のテレビ等である各受信器３６へと送出される（Ｓ１２）。番組信号は各受信器３６によって受信され、図３（ａ）に示すように、主画面３７から番組が、子画面３８からキーワードがそれぞれ表示される（Ｓ１３）。子画面３８から表示されるキーワードは、進行情報処理テーブルに従って番組の放送開始からの経過にともなって変更されて表示される。
【００６３】
視聴者が、子画面３８に表示されたキーワード（キーワードＡ〜Ｄ）の中から特定のキーワードを、テレビ等の受信器３６に付属のリモコン機能等によって選択した場合（Ｓ１４：Ｙｅｓ）には、図３（ｂ）に示すように、主画面３７から番組が表示されるとともに、選択されたキーワードが子画面３８から表示され、このキーワードに対する詳細情報が詳細情報画面４０から表示される（Ｓ１５）。
【００６４】
このようにして、各受信器３６からは、番組の進行に連携してタイムリーにキーワードが更新されながら表示され、視聴者が要求した場合には、表示されたキーワードに関する詳細情報が表示される。
【００６５】
上述したように、本実施の形態に係る表示用情報配信方法を適用した表示用情報制作装置においては、上記のような作用により、番組の内容に応じ、かつ番組の進行と連動して表示されるような表示用画面を自動的に制作することが可能となる。
【００６６】
（第２の実施の形態）
本発明の第２の実施の形態を図８を用いて説明する。
【００６７】
本実施の形態に係る表示用情報配信方法を適用した表示用情報制作装置は、第１の実施の形態に係る表示用情報配信方法を適用した表示用情報制作装置の変形例であり、進行情報を用いず、番組用原稿情報のみから番組信号を作成するものであって、進行情報処理部２２の動作のみが第１の実施の形態と異なる。したがって、ここでは、第１の実施の形態と異なる点のみについて説明する。
【００６８】
すなわち、進行情報処理部２２は、制御部１４から番組用原稿情報、キーワードとなる用語のコード番号が出力されるようにしている。そして、一音を読むのに要する時間について予め経験等から知られている値を用いて、番組用原稿情報のおのおのの文字が、放送開始後どの時間において読まれるのかを把握する。例えば、図８（ａ）に示すように「埼玉県越谷市の中川でアゴヒゲアザラシが目撃された。」という原稿の場合、図８（ｂ）に示すように、「さいたまけんこしやしのなかがわであごひげあざらしがもくげきされた。」の３３音からなる。一音を読むのに０．３秒かかるとすると、図８（ｃ）に示すように元の原稿における各キーワードが読まれ始める時間が分かる。この図８（ｃ）に示す結果に基づいて、図５に示す
ような進行情報処理テーブルを作成し、制御部１４へと出力する。制御部１４は、この進行情報処理テーブル情報を表示用情報作成部２３へと出力する。
【００６９】
上述したような構成とすることによって、進行情報がない場合であっても、番組の内容に応じ、かつ番組の進行と連動して表示されるような表示用画面を自動的に制作することが可能となる。
【００７０】
（第３の実施の形態）
本発明の第３の実施の形態を図９を用いて説明する。
【００７１】
図９は、第３の実施の形態に係る表示用情報配信方法を適用した表示用情報制作装置の構成例を示す機能ブロック図である。
【００７２】
すなわち、本実施の形態に係る表示用情報配信方法を適用した表示用情報制作装置１１は、第１の実施の形態に係る表示用情報配信方法を適用した表示用情報制作装置１０の変形例であって、キーワード入力部１８を付加し、進行情報処理部２２に代えて時間設定部４２を備えた点のみが異なる。したがって、図９では、図１と同一部分には同一符号を付してその説明を省略し、ここでは異なる部分についてのみ述べる。
【００７３】
すなわち、本実施の形態に係る表示用情報制作装置１１では、番組用原稿情報や進行情報を用いなくとも、キーワード入力部１８からオペレータが任意の用語を入力することによって任意のキーワードを抽出し、この抽出したキーワードを指定したタイミングで表示させることができるようにしている。
【００７４】
まず任意のキーワードを指定する場合には、オペレータがキーワード入力部１８から任意の用語を入力する。すると、キーワード入力部１８は、入力された用語をキーワード抽出処理部１６へと出力する。キーワード入力部１８から用語が出力されると、キーワード抽出処理部１６は、この用語をキーワード情報記憶部２４に格納されているデータの中から検索する。そして、検索にヒットした用語をキーワードとし、その用語のコード番号を取得する。
【００７５】
キーワード抽出処理部１６はこのようにしてキーワードとなる用語のコード番号を取得すると、取得したコード番号を制御部１４へと通知する。制御部１４は、キーワード抽出処理部１６からコード番号が通知されると、このコード番号を画面制作処理部２０および時間設定部４２へと通知する。
【００７６】
このようにしてコード番号が時間設定部４２に通知されると、オペレータは、時間設定部４２から、このコード番号に対応するキーワードを表示するタイミングを設定することによって、図５に示すような進行情報処理テーブルを作成し、制御部１４へと出力する。
【００７７】
一方、画面制作処理部２０は、第１の実施の形態で説明したようにして画面テンプレートを選択し、選択した画面テンプレートを制御部１４へ出力する。更に制御部１４は、この画面テンプレートを表示用情報作成部２３へと出力する。
【００７８】
また制御部１４は、時間設定部４２から出力された進行情報処理テーブルの情報を表示用情報作成部２３へと出力し、表示用情報作成部２３は第１の実施の形態で説明したようにして表示用情報を作成する。そして、この表示用情報を制御部１４に出力するとともに、作成情報記憶部２８に記憶させる。作成情報記憶部２８に記憶された表示用情報は、必要に応じて制御部１４によって取得され、通信部１３から通信ネットワーク３４を介して放送局３２へと送信されるようにしている。
【００７９】
上述したような構成とすることによって、任意のキーワードを、指定したタイミングで表示されるような表示用画面を制作することが可能となる。
【００８０】
（第４の実施の形態）
本発明の第４の実施の形態を図１０から図１１を用いて説明する。
【００８１】
図１０は、第４の実施の形態に係る表示用情報配信方法を適用した表示用情報制作装置の構成例を示す機能ブロック図である。
【００８２】
本実施の形態に係る表示用情報配信方法を適用した表示用情報制作装置１２は、第３の実施の形態に係る表示用情報配信方法を適用した表示用情報制作装置１１の変形例であって、キーワード入力部１８に代えて音声入力部４４および音声変換部４６を備え、時間設定部４２を省略した構成としている。したがって、図１１では、図９と同一部分には同一符号を付してその説明を省略し、ここでは異なる部分についてのみ述べる。
【００８３】
本実施の形態に係る表示用情報制作装置１２では、番組用原稿情報や進行情報を用いなくとも、オペレータが発した音声からキーワードを抽出し、この抽出したキーワードをテレビ等の受信器３６から表示させることができるようにしている。
【００８４】
すなわち、オペレータが音声入力部４４に向けて音声を発すると、音声入力部４４が音声を検知し、音声信号を音声変換部４６へと出力する。音声変換部４６は、この音声信号を文字データに変換し、更に変換された文字データから用語を認識して文書データを作成し、この文書データをキーワード抽出処理部１６に出力する。
【００８５】
例えば、オペレータによって「埼玉県越谷市の中川でアゴヒゲアザラシが目撃された」と発せられた場合、音声入力部４４は、これに対応する音声信号を音声変換部４６へと出力する。すると、音声変換部４６は、この音声信号を図１１（ａ）に示すように「さいたまけんこしがやしのなかがわであごひげあざらしがもくげきされた」からなる文字データに変換する。更に、この文字データから用語を認識して、図１１（ｂ）に示す「埼玉県越谷市の中川でアゴヒゲアザラシが目撃された」のような文書データを作成し、キーワード抽出処理部１６に出力する。
【００８６】
キーワード抽出処理部１６は、文書データを取得すると、文書データに含まれる用語の中から、キーワード情報記憶部２４に格納されている用語をキーワードとして抽出する。更に、その用語のコード番号を取得する。
【００８７】
キーワード抽出処理部１６はこのようにしてキーワードとなる用語のコード番号を取得すると、取得したコード番号を制御部１４へと通知する。制御部１４は、キーワード抽出処理部１６からコード番号が通知されると、このコード番号を画面制作処理部２０へと通知する。
【００８８】
画面制作処理部２０は、制御部１４からコード番号が通知されると、このコード番号に対応する詳細情報をキーワード情報記憶部２４から取得する。更に、この詳細情報を、番組の進行に応じてテレビ画面に表示するための画面テンプレートを画面テンプレート記憶部２６に記憶されている画面テンプレートの中から選択する。
【００８９】
画面制作処理部２０は、取得した詳細情報と、選択した画面テンプレートとを制御部１４に出力する。制御部１４は、画面制作処理部２０から出力された詳細情報および画面テンプレートを表示用情報作成部２３へと出力する。
【００９０】
表示用情報作成部２３は、画面テンプレートにキーワードおよび詳細情報を割り付けることによって表示用画面を作成する。そして、この表示用画面を制御部１４に出力する。
【００９１】
制御部１４は、表示用情報作成部２３から表示用画面が出力されると、通信部１３から通信ネットワーク３４を介して放送局３２へと送信させる。
【００９２】
放送局３２には、このようにして表示用情報制作装置１２から表示用画面が送信されるほかに、番組制作システム３０から番組情報が送信される。放送局３２は、番組情報と表示用画面とを多重化した番組信号を作成し、一般家庭のテレビ等である各受信器３６へ向けて送出する。あるいは、音声入力部４４に発したオペレータの音声をそのまま番組としてもよい。
【００９３】
各受信器３６はこの番組信号を受信し、図３（ａ）に示すように、主画面３７から番組を、子画面３８からキーワードをそれぞれ表示する。子画面３８から表示されるキーワードは、送信される表示用画面に従って順次表示されるようにしている。なお、キーワードは、子画面３８から１つづつ表示されるようにしても良いが、図３（ａ）に示すように、予め定めた所定数のキーワードが表示されるようにしても良い。
【００９４】
視聴者が、子画面３８に表示されたキーワード（キーワードＡ〜Ｄ）の中から特定のキーワードを、テレビ等の受信器３６に付属のリモコン機能等によって選択することによって、図６（ｂ）に示すように、主画面３７から番組が表示されるとともに、選択されたキーワードが子画面３８から表示され、このキーワードに対する詳細情報が詳細情報画面４０から表示されるようにしている。
【００９５】
上述したような構成とすることによって、番組用原稿情報や進行情報を用いなくとも、オペレータが発した音声からキーワードを抽出し、この抽出したキーワードを順次表示させることができる。更に、視聴者が要求した場合には、表示されたキーワードに関する詳細情報を表示させることができる。
【００９６】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００９７】
【発明の効果】
以上説明したように、本発明によれば、番組の内容に応じ、かつ番組の進行と連動して表示されるような表示用画面を自動的に制作することが可能な表示用情報制作装置、および制作された表示用画面情報を配信することが可能な表示用情報配信方法を実現することができる。
【００９８】
特に、請求項１の発明の表示用情報制作装置では、番組用原稿情報からキーワードを抽出し、番組の進行に連動させて、キーワードおよびその詳細情報を表示することができる。
【００９９】
請求項２の発明の表示用情報制作装置では、番組において話される音声に基づいてキーワードを抽出し、抽出したキーワードおよびその詳細情報を番組の進行に連動させて表示することができる。
【０１００】
請求項３の発明の表示用情報制作装置では、番組用原稿情報からキーワードを抽出し、進行情報に従うことにより番組の進行に連動させて、キーワードおよびその詳細情報を表示することができる。
【０１０１】
請求項４の発明の表示用情報制作装置では、任意のキーワードと表示タイミングに対応した入力を受け付け、この用語およびこの用語の詳細情報を番組の進行に連動させて表示することができる。
【０１０２】
請求項５の発明の表示用情報配信方法では、番組制作側から番組用原稿情報と進行情報とを取得し、取得した番組用原稿情報に基づくキーワードと、その詳細情報とを番組の進行に連動させて視聴者側に備えられた各受信器から表示させることができる。
【図面の簡単な説明】
【図１】第１の実施の形態に係る表示用情報配信方法を適用した表示用情報制作装置の構成例を示す機能ブロック図。
【図２】図１に示す構成の表示用情報制作装置に接続されたシステムを含めたネットワーク構成図。
【図３】画面テンプレートの一例を示す模式図。
【図４】番組用原稿情報と進行情報との対応関係を示す図。
【図５】進行情報処理テーブルの一例を示すデータ構造図。
【図６】第１の実施の形態に係る表示用情報配信方法を適用した表示用情報制作装置の動作を示すデータ遷移図。
【図７】第１の実施の形態に係る表示用情報配信方法を適用した表示用情報制作装置の動作を示すデータ遷移図。
【図８】進行情報処理部の動作を説明するための図。
【図９】第３の実施の形態に係る表示用情報配信方法を適用した表示用情報制作装置の構成例を示す機能ブロック図。
【図１０】第４の実施の形態に係る表示用情報配信方法を適用した表示用情報制作装置の構成例を示す機能ブロック図。
【図１１】音声変換部による音声変換処理を説明するための図。
【符号の説明】
１０，１１，１２…表示用情報制作装置、１３…通信部、１４…制御部、１６…キーワード抽出処理部、１８…キーワード入力部、２０…画面制作処理部、２２…進行情報処理部、２３…表示用情報作成部、２４…キーワード情報記憶部、２６…画面テンプレート記憶部、２８…作成情報記憶部、３０…番組制作システム、３２…放送局、３４…通信ネットワーク、３５…テレビ画面、３６…受信器、３７…主画面、３８…子画面、４０…詳細情報画面、４２…時間設定部、４４…音声入力部、４６…音声変換部
【図１】
2004349942.tif 000003
【図２】
2004349942.tif 000004
【図３】
2004349942.tif 000005
【図４】
2004349942.tif 000006
【図５】
2004349942.tif 000007
【図６】
2004349942.tif 000008
【図７】
2004349942.tif 000009
【図８】
2004349942.tif 000010
【図９】
2004349942.tif 000011
【図１０】
2004349942.tif 000012
【図１１】
2004349942.tif 000013